(57)【特許請求の範囲】
【請求項１】
多量散布用の大導出口（１５）が形成された枠状板（１４）と、少量散布用の小導出口（２５）が形成され前記大導出口（１５）を開閉すべく揺動自在に配設された大シャッター（２０）と、前記小導出口（２５）の下側に配在されて該小導出口（２５）を開閉すべく揺動自在に配設された小シャッター（３０）と、該小シャッター（３０）を揺動操作する調量操作ロッド（５２）と、を備えた調量装置（１０）であって、
前記大シャッター（２０）は、前記枠状板（１４）に一端の基端部（２１）が前記揺動自在に軸支される一方、前記小シャッター（３０）は、前記大シャッター（２０）の下側に位置して該大シャッター（２０）を下側から支承すると共に、
前記大シャッター（２０）の下側面と前記小シャッター（３０）の閉面部（３３）との間には、前記大シャッター（２０）を案内し支承する案内部（２４、３３ｂ）が形成され、
前記大シャッター（２０）を案内し支承する前記案内部（２４、３３ｂ）は、前記調量操作ロッド（５２）による操作で、前記小シャッター（３０）の揺動角度が少量散布時の最大揺動角度（α）に達するまでは前記大シャッター（２０）を揺動させずに閉位置に支承し、前記少量散布時の最大揺動角度（α）を越えて揺動したときは、前記大シャッター（２０）を下方の開方向に揺動させるように構成されていることを特徴とする調量装置。
【請求項２】
前記案内部（２４、３３ｂ）は、前記小シャッター（３０）の揺動軸線（Ｏ）を中心とした断面円弧状の曲面とされていることを特徴とする請求項１に記載の調量装置。
【請求項３】
前記大シャッター（２０）と前記小シャッター（３０）には、該小シャッター（３０）が前記少量散布時の最大揺動角度（α）を越えて揺動せしめられるとき、前記大シャッター（２０）を下方の開方向に強制的に揺動させるための係止手段（２７、３４）が設けられていることを特徴とする請求項１又は２に記載の調量装置。
【請求項４】
前記大シャッター（２０）は、矩形板状とされてその中央部付近に矩形の前記小導出口（２５）が形成されていると共に、その基端部（２１）に揺動支軸（２２）が固定され、該揺動支軸（２２）は、前記枠状板（１４）に揺動自在に軸支されていることを特徴とする請求項１に記載の調量装置。
【請求項５】
前記小シャッター（３０）は、前記小導出口（２５）を閉じる前記閉面部（３３）を上面とする断面概略「７」もしくは「Ｔ」字状とされ、その縦辺部（３１）に調量駆動軸（３５）を固定していることを特徴とする請求項１に記載の調量装置。
【請求項６】
前記小シャッター（３０）には、前記調量駆動軸（３５）を介して調量アーム（４０）が連結され、該調量アーム（４０）の先端側及び基端側には、前記調量操作ロッド（５２）が着脱自在に各々連結される少量散布用連結部（４１）及び多量散布用連結部（４２、４３）が設けられていることを特徴とする請求項１から５のいずれか一項に記載の調量装置。
【発明の詳細な説明】
【０００１】
【発明の属する技術分野】
本発明は、粉粒状の薬剤や肥料等（以下、薬剤等と称す）を散布するための動力散布機等に使用される調量装置に係り、特に、薬剤等の多量散布時と少量散布時のいずれでも、散布要求量に精度良く調節できるようにされた調量装置に関する。
【０００２】
【従来の技術】
例えば、背負式動力散布機においては、通常、最上部に散布すべき薬剤等を貯留する貯留タンクが配在され、該タンクの底部側（下側）に散布量を調節するための調量装置が配在され、この調量装置により調量されて落下せしめられる薬剤等をその下側に配在された送風機の吐出口に導いて、該吐出口に連結された噴管等を介して外部に散布するようになっている。
【０００３】
前記調量装置としては、二枚の櫛状のシャッターを重ねて配置し、それらを相互にスライドさせて導出口の実効開口面積を変えることにより調量するようにしたスライド式のものと、シャッターを揺動自在に軸支し、その揺動角度（導出口に対する開度）を変えることにより調量するようにしたバタフライ式のものとがあるが、近年では、薬剤等の噛み込みを生じにくいバタフライ式のものが主流となっている。
【０００４】
【発明が解決しようとする課題】
ところで、従来のバタフライ式の調量装置においては、通常、多量散布時（肥料散布時等）も、少量散布時（１キロ剤散布時等）も、一枚のシャッターの開度を変えることにより調量するようにされている。また、最近では、散布作業効率の向上を図るべく、導出口及びシャッターを大きくすることが要求されて来ている。
ところが、従来の調量装置では、多量散布時に要求される散布量を確保できるようになせば、少量散布時には、調量精度が粗くなり、きめ細かな開度調節を行えなくなるという問題があった。
【０００５】
本発明は、前記した如くの問題に鑑みてなされたもので、その目的とするところは、薬剤等の多量散布時と少量散布時のいずれでも、散布要求量に精度良く調節できるようにされた調量装置を提供することにある。
【０００６】
【課題を解決するための手段】
前記目的を達成すべく、本発に係る調量装置は、基本的には、多量散布用の大導出口が形成された枠状板と、少量散布用の小導出口が形成され前記大導出口を開閉すべく揺動自在に配設された大シャッターと、前記小導出口の下側に配在されて該小導出口を開閉すべく揺動自在に配設された小シャッターと、該小シャッターを揺動操作する調量操作ロッドと、を備えた調量装置であって、前記大シャッターは、前記枠状板に一端の基端部が前記揺動自在に軸支される一方、前記小シャッターは、前記大シャッターの下側に位置して該大シャッターを下側から支承すると共に、前記大シャッターの下側面と前記小シャッターの閉面部との間には、前記大シャッターを案内し支承する案内部が形成され、前記大シャッターを案内し支承する前記案内部は、前記調量操作ロッドによる操作で、前記小シャッターの揺動角度が少量散布時の最大揺動角度に達するまでは前記大シャッターを揺動させずに閉位置に支承し、前記少量散布時の最大揺動角度を越えて揺動したときは、前記大シャッターを下方の開方向に揺動させるように構成されていることを特徴としている。
【０００７】
また、本発明の調量装置の具体的な態様は、前記案内部が、前記小シャッターの揺動軸線を中心とした断面円弧状の曲面とされていることを特徴とし、前記大シャッターと前記小シャッターには、該小シャッターが前記少量散布時の最大揺動角度を越えて揺動せしめられるとき、前記大シャッターを下方の開方向に強制的に揺動させるための係止手段が設けられていることを特徴としている。
【０００８】
更に、本発明の調量装置の他の具体的な態様は、前記大シャッターが、矩形板状とされてその中央部付近に矩形の前記小導出口が形成されていると共に、その基端部に揺動支軸が固定され、該揺動支軸が、前記枠状板に揺動自在に軸支されていることを特徴としている。
【０００９】
更にまた、本発明の調量装置の他の具体的な態様は、前記小シャッターが、前記小導出口を閉じる前記閉面部を上面とする断面概略「７」もしくは「Ｔ」字状とされ、その縦辺部に調量駆動軸を固定していることを特徴としている。
【００１０】
更にまた、本発明の調量装置の他の具体的な態様は、前記小シャッターには、前記調量駆動軸を介して調量アームが連結され、該調量アームの先端側及び基端側には、前記調量操作ロッドが着脱自在に各々連結される少量散布用連結部及び多量散布用連結部が設けられていることを特徴としている。
【００１１】
前記の如くの構成とされた本発明に係る調量装置の好ましい態様においては、少量散布時には、前記調量操作ロッドが前記調量アームの前記少量散布用連結部に連結されて、前記小シャッターは、前記小導出口を閉じた位置から前記調量操作ロッドの操作量（通常、押し上げ量）に応じて揺動せしめられ、その揺動角度に応じた開度分だけ前記小導出口を開き、その開度に応じた量の薬剤等が小導出口から送風機側に導出されて噴管等を介して外部に散布される。
【００１２】
この少量散布時には、前記調量アームに対する前記調量操作ロッドの連結位置（前記調量アームのレバー比）の関係から、前記調量アーム及び前記小シャッターは、前記小導出口を閉じた閉位置から一定の角度範囲（少量散布時最大揺動角度）内でのみ揺動せしめられる。
【００１３】
また、少量散布時には、前記大シャッターの下面側及び／又は前記小シャッターの前記閉面部側に形成された、例えば、前記小シャッターの揺動軸線を中心とした断面円弧状の曲面とされた案内部の作用により、前記大シャッターは揺動せず、閉位置を維持する。
【００１４】
それに対し、多量散布時には、前記調量操作ロッドが前記調量アームの前記多量散布用連結部に連結され、前記小シャッターは、前記調量操作ロッドの操作量が少量散布時と同じであっても、その揺動角度は増大せしめられる。このため、多量散布時には、前記小シャッターは、前記閉位置から前記少量散布時最大揺動角度を越えて揺動せしめられ、この小シャッターの揺動に伴い、前記大シャッターも、前記調量操作ロッドの操作量に応じて、前記大導出口を閉じた閉位置からそれを開く方向に揺動せしめられ、その開度に応じた多量の薬剤等が、前記大導出口から送風機側に導出されて噴管等を介して外部に散布される。
【００１５】
すなわち、前記大シャッター及び／又は前記小シャッターに設けられた係止手段により、前記小シャッターが前記少量散布時最大揺動角度を越えて揺動せしめられるとき、前記大シャッターが開方向に強制的に揺動せしめられるので、前記大シャッターを所要の開度まで確実に開かせることができる。
【００１６】
このように、本発明の調量装置では、少量散布時には、大シャッターに形成された小導出口だけを小シャッターのみで開くようにされ、多量散布時には、前記小シャッターを少量散布時より大きく揺動させることによって前記大シャッターを前記大導出口を開く方向に揺動させるようにされているので、従来の単一シャッターしか備えていない調量装置に比して、多量散布時には、要求される散布量を充分に確保できるとともに、散布作業効率を向上でき、しかも、少量散布時には、散布量をきめ細かに精度良く調節できる。
【００１７】
また、本発明の調量装置では、小シャッターを介して大シャッターを揺動させてその開度を調節するようにされているので、従来の単一シャッター式の調量装置に付設されている調量操作ロッドや調量アーム等からなる調量アーム装置をそのまま使用することができ、調量操作性もさほど変わらないので、違和感を生じることなく調量操作を行えるという利点も得られる。
【００１８】
【発明の実施の形態】
以下、本発明の実施の形態を図面を参照しつつ説明する。
図１は本発明に係る調量装置の一実施形態が用いられた背負式動力散布機の概略構成図、図２は図１のII−II矢視断面図、図３は本実施形態の調量装置の部分切欠斜視図、図４は本実施形態の調量装置とそれに付設された調量アーム装置の平面図である。
【００１９】
図１、図２に示される背負式動力散布機１においては、最上部に散布すべき薬剤等を貯留する貯留タンク２が配在され、該タンク２の底部側（下側）に散布量を調節するための本実施形態の調量装置１０が配在され、この調量装置１０により調量されて落下せしめられる薬剤等を、その下側に配在された案内管５を介して送風機３の吐出口に導いて、該吐出口に連結された、図示しない噴管等を介して外部に散布するようになっている。本実施形態の前記調量装置１０は、前記貯留タンク２と前記案内管５及び前記送風機３との間にパッキン１３、７を介して介装され、それらの外周側には二つ割り構造の押さえ部材４、４が配設されている。
【００２０】
本実施形態の調量装置１０は、矩形枠状の下部基体枠１１及び上部基体枠１２と、多量散布用の矩形の大導出口１５が形成された矩形枠状板１４を有し、前記上部基体枠１２の外周鍔状部には前記パッキン１３が挟装されており、前記上部基体枠１２は、前記パッキン１３を介して前記下部基体枠１１上に重ねられ、この上部基体枠１２上に前記矩形枠状板１４が重ねられて、それら三者は、それらの四隅付近に上からねじ込まれた止めねじ１６により、締結固定されている。
【００２１】
前記上部基体枠１２の一端部（図２の右端部）両側付近には、一対の立上壁部２８、２８が突設され、これら立上壁部間２８−２８に、その両端部を除く中間部が断面半円状の揺動支軸２２が、回動自在に架設され、この揺動支軸２２に、前記大導出口１５を開閉する多量散布用の大シャッター２０の基端部２１が、ビス２３、２３により固定されている。
【００２２】
前記大シャッター２０の下側には、該大シャッター２０を支承し、かつ、その中央部付近に形成された少量散布用の矩形の小導出口２５を開閉する小シャッター３０が配在されている。この小シャッター３０は、前記小導出口２５を閉じる閉面部３３を上面とする、横辺部３２と縦辺部３１とからなる、断面概略「７」乃至「Ｔ」字状とされるとともに、前記縦辺部３１に、前記下部基体枠１１に回動自在に横架された調量駆動軸３５が嵌挿固定されている。
【００２３】
前記大シャッター２０の下面側の前記基端部２１側には、前記小シャッター３０の揺動角度が後述する少量散布時最大揺動角度α（図６参照）に達するまでは、前記大シャッター２０を閉位置から揺動させぬように案内する、前記小シャッター３０の揺動軸線（前記調量駆動軸３５の中心軸線）Ｏを中心とした断面円弧状の曲面とされた摺接案内部２４が形成されている。
【００２４】
前記小シャッター３０の前記閉面部３３は、前記小導出口２５を封止する平面部３３ａと、これに続く、前記大シャッター２０に形成された前記摺接案内部２４と同じ曲面の支承案内部３３ｂとからなっている。
【００２５】
また、前記大シャッター２０の下面側における前記小導出口２５より先端側には、下方に向けて凸部２６が突設され、この凸部２６に平面視コ字状の係止板２７がビス２９、２９により固定され、前記小シャッター３０の横辺部３２の一端部（図２において右端部）両側には、前記係止板２７の対向辺部２７ａ、２７ａを掛止し得るように円柱係止部３４、３４が横向きに突設されている。前記係止板２７及び前記円柱係止部３４、３４は、前記小シャッター２０が前記少量散布時最大揺動角度αを越えて揺動せしめられるとき（図８参照）、前記大シャッター２０を開方向に強制的に揺動させるための係止手段として機能する。
【００２６】
一方、本実施形態の調量装置１０には、前記小シャッター３０及び大シャッター２０を揺動させてその開度を調節すべく、図１に示される如くに、手動操作レバー９０と、該手動操作レバー９０により昇降せしめられる調量操作ロッド５２を含む調量アーム装置５０と、が付設されている。前記手動操作レバー９０には、握り部９１と、支持具９５に揺動自在に支持されたクランク部９２と、が設けられ、このクランク部９２の先端部９３に、前記調量操作ロッド５２の下端雄ねじ部５２ｂ（図９）に螺合せしめられたＬ形連結具５７が回動自在に嵌合せしめられており、前記手動操作レバー９０の前記握り部９１を、図１において仮想線で示される如くに、係止位置調節板１００に沿って上方に引くと、前記調量操作ロッド５２が前記クランク部９２により上方に押し上げられるようになっている。
【００２７】
前記調量アーム装置５０は、図１、図４に加えて図９、図１０を参照すればよくわかるように、先端部５２ａが横向きに折り曲げられた前記操作ロッド５２と、前記調量装置１０の前記小シャッター３０を前記調量駆動軸３５を介して駆動すべく、該調量駆動軸３５の一端部にその基端部４０ａが一体回動可能に固着された調量アーム４０と、ロック手段５１と、からなっている。
【００２８】
前記調量アーム４０は、前記調量操作ロッド５２の前記横向き先端部５２ａが選択的に挿入される、複数の係止孔４１、４２、４３がその長手方向に沿って形成されている。前記調量アーム４０の自由端側に位置する外側係止孔４１は少量散布用連結部を構成し、前記基端部４０ａ側に位置する中間係止孔４２、及び内側係止孔４３は、それぞれ最大吐出量が異る多量散布用連結部を構成する。前記調量操作ロッド５２の前記横向き先端部５２ａが、前記中間及び内側係止孔４２、４３に挿入係止されているときは、前記外側係止孔４１に挿入係止されているときより、前記手動操作レバー９０及び前記調量操作ロッド５２の操作量（押し上げ量）が同じである場合、前記調量アーム４０、前記調量駆動軸３５、及び前記小シャッター３０の揺動角度が増大せしめられる。
【００２９】
前記ロック手段５１は、前記横向き先端部５２ａを、前記各係止穴４１、４２、４３に対して抜けないようにロックするとともに、このロックをワンタッチで解除するためのもので、前記横向き先端部５２ａに装着され、前記調量アーム４０の一面４０ｂ側に対面せしめられる上側固定部材７０と、前記操作ロッド５２のロッド部５２Ａに摺動自在に外嵌され、前記調量アーム４０の他面４０ｃ側に対面せしめられる抜止片部６６が設けられた下側可動部材６０と、該下側可動部材６０と前記操作ロッド５２との間に配設された付勢部材としての圧縮コイルばね５５と、を有し、前記下側可動部材６０を前記圧縮コイルばね５５の付勢力に抗して押し下げることにより、前記抜止片部６６がロック解除位置に移動せしめられ（図１０参照）、前記下側可動部材６０を解放すると、前記圧縮コイルばね５５の付勢力により、前記抜止片部６６がロック位置に移動せしめられるようにされている（図９参照）。
【００３０】
詳細には、前記上側固定部材７０は、前記ロッド部５２Ａを挟むように外装されるコ字状挟装部７１と、該コ字状挟装部７１から上方に向けて突設され、前記横向き先端部５２ａが挿通せしめられる挿通穴７４が形成された立上片部７３と、からなっている。
【００３１】
また、前記下側可動部材６０は、前記ロッド部５２Ａに摺動自在に外嵌された、前記ロッド部５２Ａが挿通せしめられた挿通穴６３が形成された天井部６２付きの、裾広がり乃至スカート状の筒状つまみ部（６１）と、該筒状つまみ部６１から上方に向けて突設された前記抜止片部６６と、前記筒状つまみ部６１から上方に向けて突設されて前記コ字状挟装部７１の対向辺部間７１ａ−７１ｂに摺動自在に挿入された回り止片部６５と、からなっている。
【００３２】
前記圧縮コイルばね５５は、前記ロッド部５２Ａに遊嵌されるとともに、前記筒状つまみ部６１内に配在されており、その下端部が、前記ロッド部５２Ａに係止されたＣ形クリップ５３にばね受け座金５４を介して係止され、その上端部が前記天井部６２に、前記ロッド部５２Ａが通過自在なばね受け座金５４を介して係止されている。
【００３３】
前記の如くの構成とされた本実施形態の調量装置１０においては、少量散布時には、図５、図６に示される如くに、前記調量操作ロッド５２の前記横向き先端部５２ａが、前記調量アーム４０の少量散布用連結部とされる前記外側係止孔４１に挿入係止されて、前記小シャッター３０は、前記小導出口２５を閉じた位置（図５に示される位置）から、前記手動操作レバー９０及び前記調量操作ロッド５２の操作量（押し上げ量）に応じて揺動せしめられ、その揺動角度に応じた開度分だけ前記小導出口２５を開き、その開度（最大開度θａ）に応じた量の薬剤等が、前記小導出口２５から前記送風機３側に導出されて、噴管等を介して外部に散布される。
【００３４】
この少量散布時には、前記調量アーム４０に対する前記調量操作ロッド５２の連結位置（前記調量アーム４０のレバー比）の関係から、前記調量アーム４０及び前記小シャッター３０は、前記小導出口２５を閉じた閉位置から一定の角度範囲（図６に示される少量散布時最大揺動角度α）内でのみ揺動せしめられる。
【００３５】
また、少量散布時には、前記大シャッター２０の下面側及び前記小シャッター３０の前記閉面部３３側に形成された、前記小シャッター３０の前記揺動軸線Ｏを中心とした断面円弧状の曲面とされた前記案内部２４、及び前記支承案内部３３ｂの作用により、前記大シャッター２０は揺動せず、閉位置を維持する。
【００３６】
それに対し、多量散布時には、図７、図８に示される如くに、前記調量操作ロッド５２の前記横向き先端部５２ａが前記調量アーム４０の前記多量散布用連結部とされる前記内側係止孔４３（又は前記中間係止孔４２）に挿入係止され、前記小シャッター３０は、前記手動操作レバー９０及び前記調量操作ロッド５２の操作量が少量散布時と同じであっても、その揺動角度は増大せしめられる。このため、多量散布時には、前記小シャッター３０は、前記閉位置から前記少量散布時最大揺動角度αを越えて揺動せしめられ、この小シャッター３０の揺動に伴い、後述する如く前記大シャッター２０も、前記調量操作ロッド５２の操作量に応じて、前記大導出口１５を閉じた閉位置（図７参照）からそれを開く方向に揺動せしめられ（図８参照）、その開度（最大開度θｂ）に応じた量の薬剤等が小導出口から送風機側に導出されて噴管等を介して外部に散布される。
【００３７】
すなわち、前記大シャッター２０及び又は前記小シャッター３０に設けられた前記係止板２７と前記円柱係止部３４、３４との係合により、前記小シャッター３０が、前記少量散布時最大揺動角度αを越えて揺動せしめられるとき、前記大シャッター２０が、開方向に強制的に揺動せしめられるので、前記大シャッター２０を所要の開度（多量散布時最大揺動角度β）まで確実に開かせることができる。
【００３８】
このように、本実施形態の調量装置１０では、少量散布時には、大シャッター２０に形成された小導出口２５だけを小シャッター３０のみで開くようにされ、多量散布時には、前記小シャッター３０を少量散布時より大きく揺動させることによって前記大シャッター２０を大導出口１５を開く方向に揺動させるようにされているので、従来の単一シャッターしか備えていない調量装置に比して、多量散布時には、要求される散布量を充分に確保できるとともに、散布作業効率を向上でき、しかも、少量散布時には、散布量をきめ細かに精度良く調節できる。
【００３９】
また、本実施形態の調量装置１０では、小シャッター３０を介して大シャッター２０を揺動させてその開度を調節するようにされているので、従来の単一シャッター式の調量装置に付設されている調量操作ロッド５２や調量アーム４０等からなる調量アーム装置５０をそのまま使用することができ、調量操作性もさほど変わらないので、違和感を生じることなく調量操作を行えるという利点も得られる。
【００４０】
以上、本発明の一実施形態について詳述したが、本発明は、前記実施形態に限定されるものではなく、特許請求の範囲に記載された発明の精神を逸脱しない範囲で、設計において、種々の変更ができるものである。
【００４１】
【発明の効果】
以上の説明から理解されるように、本発明に係る調量装置は、少量散布時には、大シャッターに形成された小導出口だけを小シャッターのみで開くようにされ、多量散布時には、前記小シャッターを少量散布時より大きく揺動させることによって前記大シャッターを前記大導出口を開く方向に揺動させるようにされているので、従来の単一シャッターしか備えていない調量装置に比して、多量散布時には、要求される散布量を充分に確保できるとともに、散布作業効率を向上でき、しかも、少量散布時には、散布量をきめ細かに精度良く調節できる。
【００４２】
また、本発明の調量装置では、小シャッターを介して大シャッターを揺動させてその開度を調節するようにされているので、従来の単一シャッター式の調量装置に付設されている調量操作ロッドや調量アーム等からなる調量アーム装置をそのまま使用することができ、調量操作性もさほど変わらないので、違和感を生じることなく調量操作を行えるという利点も得られる。
【図面の簡単な説明】
【図１】本発明に係る調量装置の一実施形態が用いられた背負式動力散布機の概略構成図。
【図２】図１のII−II矢視拡大断面図。
【図３】図１に示される調量装置の部分切欠斜視図。
【図４】図３に示される調量装置とそれに付設された調量アーム装置の平面図。
【図５】図３に示される調量装置の少量散布時における小シャッターが閉位置にある状態を示す断面図。
【図６】図３に示される調量装置の少量散布時における小シャッターが開位置にある状態を示す断面図。
【図７】図３に示される調量装置の多量散布時における小シャッター及び大シャッターが閉位置にある状態を示す断面図。
【図８】図３に示される調量装置の多量散布時における小シャッター及び大シャッターが開位置にある状態を示す断面図。
【図９】図１に示される調量装置に付設された調量アーム装置のロック状態を示し、（Ａ）は縦断面図、（Ｂ）は正面図。
【図１０】図１に示される調量装置に付設された調量アーム装置のロック解除状態を示し、（Ａ）は縦断面図、（Ｂ）は正面図。
【符号の説明】
１０  調量装置
１５  大導出口
２０  大シャッター
２１  基端部
２４  摺接案内面（案内部）
２５  小導出口
２７  コ字状係止板（係止手段）
３０  小シャッター
３１  縦辺部
３３  閉面部
３３ｂ  支承案内部（案内部）
３４  円柱係止部（係止手段）
３５  調量駆動軸
４０  調量アーム
４１  外側係止孔（少量散布用連結部）
４２、４３  中間及び内側係止孔（多量散布用連結部）
５２  調量操作ロッド
α  少量散布時最大揺動角度
Ｏ  揺動軸線
【図１】
0003950285.tif 000002
【図２】
0003950285.tif 000003
【図３】
0003950285.tif 000004
【図４】
0003950285.tif 000005
【図５】
0003950285.tif 000006
【図６】
0003950285.tif 000007
【図７】
0003950285.tif 000008
【図８】
0003950285.tif 000009
【図９】
0003950285.tif 000010
【図１０】
0003950285.tif 000011